(57)【要約】【課題】  ＣＡＴＶ放送信号受信用ケーブルを介し、超広帯域信号を伝送するための有線超広帯域信号伝送システム、装置、および、方法を提供する。【解決手段】  本発明に係るシステムは、ＣＡＴＶ放送信号を伝達する同軸ケーブルと前記同軸ケーブルに接続されてＣＡＴＶ放送信号を一定の比率で分配するスプリッタ、および、前記複数の同軸ケーブルと前記複数のスプリッタとから構成された前記ＣＡＴＶ受信用ケーブルに各々連結され、有線単一バンド直交周波数分割多重方式の超広帯域信号を伝送する有線超広帯域信号伝送装置を含む。【選択図】      図６
2006325206.tif 000002
【特許請求の範囲】
【請求項１】
家庭内の各部屋に位置するＣＡＴＶ放送信号を伝達する同軸ケーブル；
前記同軸ケーブルに接続されてＣＡＴＶ放送信号を一定の比率で分配するスプリッタ；および、
前記複数の同軸ケーブルと前記複数のスプリッタとから構成されたＣＡＴＶ受信用ケーブルの端子に各々連結され、有線超広帯域信号を伝送する複数の有線超広帯域信号伝送装置を含む有線超広帯域信号伝送システム。
【請求項２】
前記有線超広帯域信号伝送装置は、
家庭内の各部屋に位置する複数の有／無線マルチメディア家電機器に連結され、有／無線マルチメディア信号を接続するための有／無線インターフェースモジュール；
前記ＣＡＴＶ受信用ケーブルに連結され、前記有線超広帯域信号とＣＡＴＶ放送信号とを結合／分離するためのＣＡＴＶ／有線超広帯域信号結合／分離モジュール；
前記ＣＡＴＶ／有線超広帯域信号結合／分離モジュールのあるポートに連結され、有線超広帯域信号を送／受信する有線超広帯域信号送／受信モジュール；
前記有線超広帯域信号送／受信モジュールと有／無線インターフェースモジュールとの間に位置し、前記有線超広帯域信号と有／無線マルチメディア信号とを相互変換させる信号変換モジュール；および、
前記有／無線インターフェースモジュール、ＣＡＴＶ／有線超広帯域信号結合／分離モジュール、有線超広帯域信号送／受信モジュール、信号変換モジュールの動作を制御する制御モジュールを含む請求項１に記載の有線超広帯域信号伝送システム。
【請求項３】
前記有線超広帯域信号伝送装置は、
単一バンド直交周波数分割多重方式の超広帯域信号の形態で前記ＣＡＴＶ受信用ケーブルに伝送することを特徴とする請求項１に記載の有線超広帯域信号伝送システム。
【請求項４】
前記有線超広帯域信号伝送装置は、
前記有線超広帯域信号を特定周波数帯域で送／受信することを特徴とする請求項３に記載の有線超広帯域信号伝送システム。
【請求項５】
前記特定周波数帯域は、ＣＡＴＶ受信用ケーブルの周波数帯域中、使用されていない周波数帯域を含む請求項４に記載の有線超広帯域信号伝送システム。
【請求項６】
前記特定周波数帯域は、９００ＭＨｚ以上の周波数帯域を含む請求項５に記載の有線超広帯域信号伝送システム。
【請求項７】
前記ＣＡＴＶ受信用ケーブルに伝送される有線超広帯域信号を周波数帯域に対して選択的に通過させる分離モジュールをさらに含む請求項３に記載の有線超広帯域信号伝送システム。
【請求項８】
前記分離モジュールは、前記有線超広帯域信号を周波数帯域に対して選択的に反射させる請求項７に記載の有線超広帯域信号伝送システム。
【請求項９】
有／無線マルチメディア家電機器から、有／無線マルチメディア信号を伝送するステップ；
前記有／無線マルチメディア信号を有線超広帯域信号に変換するステップ；および、
前記有線超広帯域信号を特定周波数帯域で送／受信するステップを含む有線超広帯域信号伝送方法。
【請求項１０】
前記有線超広帯域信号は、
単一バンド直交周波数分割多重方式の超広帯域信号の形態でＣＡＴＶ受信用ケーブルに伝送されることを特徴とする請求項９に記載の有線超広帯域信号伝送方法。
【請求項１１】
前記特定周波数帯域は、ＣＡＴＶ受信用ケーブルの周波数帯域中、使用されない周波数帯域を含む請求項９に記載の有線超広帯域信号伝送方法。
【請求項１２】
前記特定周波数帯域は、９００ＭＨｚ以上の周波数帯域を含む請求項１１に記載の有線超広帯域信号伝送方法。
【発明の詳細な説明】
【技術分野】
【０００１】
本発明は、超広帯域信号を家庭内のＣＡＴＶ受信用ケーブルに伝送することに関する発明であって、より詳しくは単一バンド（シングルバンド）超広帯域（ウルトラワイドバンド、以下「ＵＷＢ」と呼ぶ）信号を同軸ケーブルとスプリッタとからなるＣＡＴＶ受信用ケーブルを介して伝送することによって、ホームネットワーキングを可能にする有線超広帯域信号伝送システム、および、方法に関するものである。
【背景技術】
【０００２】
ホームネットワークに対する関心が高まり、これによるホームネットワーク技術が発達し、家庭内で有／無線ホームネットワーキングのための多様な技術が提案されている。
【０００３】
その代表的な例として米国公開特許（公開番号：２００５−００３４１５９）ではホームビデオネットワークのために、同軸ケーブルを基盤とする有線ネットワークと、ＩＥＥＥ８０２．１１標準の無線ランなどを基盤とする無線ネットワークとをインターフェースする方法を開示している。
【０００４】
ここでは、ＩＥＥＥ８０２．１１標準の無線ランを家庭内環境で同軸ケーブルに連結するために無線ラン用の伝送装置のアクセスポイントとアンテナ、そして同軸ケーブルのスプリッタとの間にスイッチを置いて、単純なスイッチの動作によって、無線ラン信号をアンテナで無線伝送し、または、無線ラン信号をそのまま同軸ケーブルに伝送するようになる。このような従来技術では、２．４ＧＨｚ帯域の狭帯域高出力信号を使用するため同軸ケーブルを介して伝送することが可能であり、最大５４Ｍｂｐｓの伝送速度を提供する。
【０００５】
このように、従来技術ではＩＥＥＥ８０２．１１標準の無線ラン信号を、変換なしに同軸ケーブルに伝送しているが、このような方式をＩＥＥＥ８０２．１５．３ａにて議論しているＵＷＢ信号の場合には、そのまま適用することはできない。
【０００６】
即ち、例えば複数の高画質級の動画をリアルタイムで伝送するためには、１００Ｍｂｐｓ以上の伝送速度が要求され、このような場合に無線ＵＷＢ技術を活用できるが、無線ＵＷＢ信号をそのまま同軸ケーブルに伝送することはできない。図１ないし図３に示すグラフにより、これを具体的に説明する。
【０００７】
図１は、無線ＵＷＢ信号に対してＦＣＣ（フェデラルコミュニケーションズコミッション）で定義したスペクトルを表すグラフであって、無線ＵＷＢ信号の伝送周波数帯域として３ないし１０ＧＨｚ帯域のスペクトルが定義されている。一方、図２は、同軸ケーブルの伝送減衰特性を周波数応答として示すグラフであって、無線ＵＷＢ信号の３ないし１０ＧＨｚ周波数帯域では、長さ１０ｍの同軸ケーブルで３０ｄＢ以上の伝送損失を示している。無線ＵＷＢ信号に対する伝送損失の範囲を６０ｄＢと仮定した場合には、２０ｍ以上の同軸ケーブルでは無線ＵＷＢ信号をそのまま伝送し難くなる。
【０００８】
さらに、図３は、ＲＦスプリッタの伝送特性を示しているが、ここでＵＷＢ信号の３ないし１０ＧＨｚ周波数帯域では、通過特性による損失が反射特性による損失よりさらに大きくなることにより、ＲＦスプリッタを介して無線ＵＷＢ信号をそのまま伝送することが困難であることが分かる。
【０００９】
しかし、ＩＥＥＥ８０２．１５．３ａで議論されている無線多重バンド（マルチバンド）直交周波数分割多重（ＯＦＤＭ）方式基盤のＵＷＢ信号は、その他のアナログ、および、デジタル伝送方式とは異なり、家庭内のＣＡＴＶケーブルと共に多重経路干渉が多い環境で伝送性能が卓越したものとして評価されている。
【００１０】
従って、家庭内の有／無線マルチメディア電子機器を連結するための目的として、このような多重経路干渉に強い無線多重バンド直交周波数分割多重基盤のＵＷＢ伝送技術を有線ＣＡＴＶ受信用ケーブルに適用するために、より効率的に伝送する方法が必要になった。
【発明の開示】
【発明が解決しようとする課題】
【００１１】
本発明は、家庭内に設置されているケーブルテレビ（以下、ＣＡＴＶと呼ぶ）用同軸ケーブル、および、スプリッタで構成されたＣＡＴＶ受信用全ケーブルに単一バンド直交周波数分割多重方式基盤の有線ＵＷＢ信号を伝送する方法を提供することによって、家庭内にある各々の部屋の間で高いデータ伝送速度を有するネットワーキングがなされるようにすることを目的とする。
【００１２】
本発明の目的は、以上にて言及した目的に制限されず、言及されていないまた他の目的は、下の記載から当業者に明確に理解できるものである。
【課題を解決するための手段】
【００１３】
前記目的を達成するために、本発明の実施形態に係る有線超広帯域信号伝送システムは、家庭内の各部屋に位置するＣＡＴＶ放送信号を伝達する同軸ケーブルと、前記同軸ケーブルに接続されてＣＡＴＶ放送信号を一定の比率で分配するスプリッタと、前記複数の同軸ケーブルと前記複数のスプリッタとで構成されたＣＡＴＶ放送信号受信用ケーブルの端子に各々連結され、有線超広帯域信号を伝送する複数の有線超広帯域信号伝送装置とを含む。
【００１４】
さらに、前記目的を達成するために、本発明の一実施形態に係る有線超広帯域信号伝送装置は、家庭内の各部屋に位置するデジタルテレビ、カムコーダー、デジタルカメラ、ＰＶＲ、ＳＴＢ、ハードディスク、スピーカ、ＰＣ等、複数の有／無線マルチメディア家電機器に連結されてＩＥＥＥ  １３９４、ＵＳＢ、イーサネット（登録商標）形態で伝送される有／無線マルチメディア信号を接続するための有／無線インターフェースモジュールと、前記ＣＡＴＶ放送信号受信用ケーブルに連結され、前記有線超広帯域信号とＣＡＴＶ放送信号とを結合／分離するためのＣＡＴＶ／有線超広帯域信号結合／分離モジュールと、前記ＣＡＴＶ／有線超広帯域信号結合／分離モジュールのあるポートに連結され、有線超広帯域信号を特定周波数帯域で送／受信する有線超広帯域信号送／受信モジュールと、前記有線超広帯域信号送／受信モジュールと有／無線インターフェースモジュールとの間に位置し、前記有線超広帯域信号と有／無線マルチメディア信号とを相互変換させる信号変換モジュール、および、前記有／無線インターフェースモジュール、ＣＡＴＶ／有線超広帯域信号結合／分離モジュール、有線超広帯域信号送／受信モジュール、信号変換モジュールの動作を制御する制御モジュールとを含む。
【００１５】
さらに、前記目的を達成するために、本発明の一実施形態に係る有線超広帯域信号伝送方法は、有／無線マルチメディア家電機器から、有／無線マルチメディア信号を伝送するステップと、前記有／無線マルチメディア信号を有線超広帯域信号に変換するステップ、および、前記有線超広帯域信号を特定周波数帯域で送／受信するステップを含む。
【００１６】
その他、実施形態の具体的な事項は、詳細な説明、および、図面に含まれている。
【００１７】
本発明の利点および特徴、そして、それらを達成する方法は、添付される図面と共に詳細に後述される実施形態を参照すると明確になる。しかしながら、本発明は、以下にて開示される実施形態に限定されるものではなく、互いに異なる多様な形態によって実用化することができ、単に本実施形態は、本発明の開示がより完全なものになるようにし、本発明が属する技術分野で通常の知識を有する者に発明の範疇を完全に知らせるために提供されるものであり、本発明は請求項の範疇によって定義されるものである。
【発明の効果】
【００１８】
本発明によると、家庭内における各々の部屋内では、ＣＡＴＶ受信用ケーブルを介してＣＡＴＶ受信すると同時に、有線単一バンド直交周波数分割多重方式基盤のＵＷＢ信号をＣＡＴＶ受信用ケーブルに伝送することによって、各々の部屋に位置する有／無線マルチメディア家電機器の相互通信が可能となる効果がある。
【発明を実施するための最良の形態】
【００１９】
以下、本発明の実施形態によって、家庭内のＣＡＴＶ放送信号受信用ケーブルを介し、有線単一バンド直交周波数分割多重方式基盤の超広帯域信号を伝送するためのシステム、装置、および、方法を説明するためのブロック図、または、フローチャートに対する図面を参考にし、本発明に対して説明することにする。この時、フローチャートの図面の各ブロックとフローチャートの図面との組合は、コンピュータプログラムのインストラクションによって、遂行される可能性があることを理解できる。これらのコンピュータプログラムのインストラクションは、汎用コンピュータ、特殊用コンピュータ、または、その他プログラム可能なデータプロセシング装備のプロセッサーに搭載されることができるため、コンピュータ、または、その他プログラム可能なデータプロセシング装備のプロセッサーを通して実行されるそのインストラクションが、フローチャートのブロックで説明された機能を実行する手段を生成するようになる。それらのコンピュータプログラムのインストラクションは、特定方式で機能を実現するために、コンピュータ、または、その他のプログラム可能なデータプロセシング装備を指向できるコンピュータ利用可能、または、コンピュータ読取可能メモリに保存されることも可能であるため、そのコンピュータ利用可能、または、コンピュータ読取可能メモリに保存されたインストラクションは、フローチャートブロックで説明された機能を実行するインストラクション手段を内包する製造品目を生産することも可能である。コンピュータプログラムのインストラクションは、コンピュータ、または、その他プログラム可能なデータプロセシング装備上に搭載されることも可能であるため、コンピュータ、または、その他のプログラム可能なデータプロセシング装備上で一連の動作段階が遂行され、コンピュータで実行されるプロセスを生成し、コンピュータ、または、その他プログラム可能なデータプロセシング装備を実行するインストラクションは、フローチャートブロックで説明された機能を実行するための段階を提供することも可能である。
【００２０】
さらに、各ブロックは、特定の論理的機能を実行するための１つ以上の実行可能なインストラクションを含むモジュール、セグメント、または、コードの一部を表すことができる。また、いくつかの代替実行例では、ブロックで言及された機能が順序から外れて発生することも可能であることを注目しなければならない。例えば、続けて図示されている２つのブロックは、実質的に同時に遂行されることも可能であり、または、そのブロックが時々該当する機能により逆順で実行されることも可能である。
【００２１】
図４は、本発明の一実施形態に係る有線超広帯域信号伝送システムの構成図であって、有線超広帯域信号伝送システム４００は、同軸ケーブル４０１と連結されたタップ４０３を介して受信されたＣＡＴＶ放送信号を伝達する家庭内の各部屋に位置する同軸ケーブル４０１ａと、前記同軸ケーブル４０１ａに接続されてＣＡＴＶ放送信号を一定の比率で分配するスプリッタ４２０、４２２および、前記複数の同軸ケーブルと前記複数のスプリッタとで構成されたＣＡＴＶ放送信号受信用ケーブルに各々連結され、有線超広帯域信号を伝送する複数の有線超広帯域信号伝送装置４３２、４４２、４５２を含む。
【００２２】
本発明によるシステムの動作を容易に説明するために、例を挙げて説明することにする。
【００２３】
使用者は、居間４４０にある有／無線ハードディスク４４４に保存された映画を再生し、居間４３０で有／無線高画質テレビ４３４を介して、視聴することを所望すると仮定する。
【００２４】
このような場合、有／無線ハードディスク４４４に保存されたデータは、高速の有／無線マルチメディア信号として第２有線超広帯域（ＵＷＢ）信号伝送装置４４２に伝えられる。この時、有／無線マルチメディア信号は、ＩＥＥＥ  １３９４、ＵＳＢ、Ｅｔｈｅｒｅｎｔなどの形態に伝えられることがわかる。
【００２５】
そして、伝えられた有／無線マルチメディア信号は、有線単一バンド直交周波数分割多重方式のＵＷＢ信号に変換され、変換された信号は、同軸ケーブル４０１ａを介してスプリッタ４２０、４２２を順に経由し、第１有線超広帯域信号伝送装置４３２に伝えられる。この時、変換された有線単一バンド直交周波数分割多重方式のＵＷＢ信号は、一般的にＣＡＴＶの信号伝送に用いられる同軸ケーブルの周波数帯域中、まだ使われていない周波数帯域を介して伝達される。第１有線超広帯域信号伝送装置４３２は、伝達された信号を再びＩＥＥＥ  １３９４、ＵＳＢ、Ｅｔｈｅｒｅｎｔなどの有／無線マルチメディア信号形態に逆変換し、有／無線高画質テレビ４３４に伝送することによって、使用者は映画を鑑賞できるようになる。
【００２６】
反面、同軸ケーブル４０１を介して伝えられるＣＡＴＶ放送信号は、タップ４０３とスプリッタ４２０、４２２を経て、第１有線超広帯域信号伝送装置４３２に到達するようになり、第１有線超広帯域信号伝送装置４３２は、前記放送信号を別途のＣＡＴＶ放送信号受信用セットトップボックスに伝達する。
【００２７】
図５ａないし図５ｄは、ＣＡＴＶ信号、および、ＵＷＢ信号の周波数帯域を示すグラフである。
【００２８】
一般的にＣＡＴＶは、図５ａに示しているように、約５４ＭＨｚ〜８６２ＭＨｚの間の周波数帯域で信号が伝送される反面、無線ＵＷＢ信号中の無線ＤＳ−ＵＷＢ信号は、図５ｂに示しているように約３〜５ＧＨｚの周波数帯域で伝達され、無線ＭＢ−ＯＦＤＭ信号は、図５ｃに示すように約３〜５ＧＨｚの周波数帯域の間に存在する複数のチャンネルの間に周波数ホッピング方法によって伝達される。無線ＤＳ−ＵＷＢ信号の場合には、図５ｂに示しているように数ＧＨｚの広い周波数帯域を使用しており同軸ケーブル環境に適していないため、本発明の実施形態では、無線ＭＢ−ＯＦＤＭＵＷＢ伝送方式をＣＡＴＶ受信用ケーブルに適用することができるように新しく構成する。
【００２９】
本発明の実施に係る周波数スペクトルは、図５ｄに示されているが、無線ＭＢ−ＯＦＤＭ信号中、いずれか１つのチャンネルに該当する周波数帯域が、同軸ケーブルの周波数帯域中の使われていない周波数帯域、例えば、０．９ＧＨｚと１．６ＧＨｚとの間の周波数帯域に割り当てられることができる。この時、有線ＵＷＢ信号は、無線ＵＷＢ信号とは異なり周波数動的ホッピング（ダイナミックホッピング）が発生しないようにする。このような周波数帯域を、図５ｄでは「Ｓｉｎｇｌｅ−ｂａｎｄＯＦＤＭ」と表している。
【００３０】
無線ＭＢ−ＯＦＤＭ方式による場合には、総１．５ＧＨｚ程度の周波数帯域が使用されており、ＤＳ−ＵＷＢと同じように同軸ケーブル環境にはそのまま適用できないため、ＵＷＢ信号伝送技術をＣＡＴＶ受信用ケーブルに適用するために動的ホッピングなしに１個のチャンネルに該当する単一周波数帯域のみを利用してＣＡＴＶ受信用ケーブルに伝送させる。
【００３１】
図６は、本発明の一実施形態に係る有線超広帯域信号伝送装置６００の構成を示すブロック図であり、家庭内のデジタルテレビ、カムコーダー、デジタルカメラ、ＰＶＲ、ＳＴＢ、ハードディスク、スピーカ、ＰＣ等、複数の有／無線マルチメディア家電機器に連結されてＩＥＥＥ  １３９４、ＵＳＢ、イーサネット（登録商標）形態に伝送される有／無線マルチメディア信号を接続するための有／無線インターフェースモジュール６３０と、ＣＡＴＶ受信用ケーブルに連結され、有線超広帯域信号とＣＡＴＶ放送信号とを結合／分離するためのＣＡＴＶ／有線超広帯域信号結合／分離モジュール６５０と、ＣＡＴＶ／有線超広帯域信号結合／分離モジュール６５０のあるポートに連結され、有線単一バンド直交周波数分割多重方式基盤の超広帯域信号を送受信する有線超広帯域信号送／受信モジュール６２０と、有線超広帯域信号送／受信モジュール６２０と有／無線インターフェースモジュール６３０との間に位置し、有線超広帯域信号と有／無線マルチメディア信号とを相互変換させる信号変換モジュール６４０および、前記モジュール６２０、６３０、６４０の動作を制御する制御モジュール６１０を含む。
【００３２】
一方、本実施形態で用いられている「モジュール」という用語は、ソフトウェア、または、ＦＰＧＡ、または、ＡＳＩＣのようなハードウェア構成要素を意味し、モジュールは、何らかの役割を実行する。但し、モジュールは、ソフトウェア、または、ハードウェアに限定される意味ではない。モジュールは、アドレッシングできる保存媒体にあるように構成することもでき、または、それ以上のプロセッサーを再生させるように構成することもできる。従って、一例としてモジュールは、ソフトウェア構成要素、客体指向ソフトウェア構成要素、クラス構成要素、および、タスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および、変数を含む。構成要素とモジュールとの間で提供される機能は、さらに小さい数の構成要素、および、モジュールで結合されたり、追加的な構成要素とモジュールとでさらに分離できる。それだけでなく、構成要素、および、モジュールは、デバイス、または、保安マルチメディアカード内の１つ、または、それ以上のＣＰＵを再生させるように実現することもできる。
【００３３】
図６に示す有線超広帯域信号伝送装置６００を構成するモジュール中、有線超広帯域信号送／受信モジュール６２０を図７にて具体的に説明する。
【００３４】
図７に示す有線超広帯域信号送／受信モジュール６２０は、図６に示す信号変換モジュール６４０から伝送された信号を図４に示す家庭内のＣＡＴＶ受信用ケーブルに各々連結された有線超広帯域信号伝送装置４３２、４４２、４５２に伝達するために、信号の接続制御を実行するためのミディアムアクセスコントロールモジュール７４０と、ミディアムアクセスコントロールモジュールに連結され、単一バンド直交周波数分割多重方式の信号を生成するためのシングル−バンドＯＦＤＭモジュール７３０と、単一バンド直交周波数分割多重方式の信号を家庭内のＣＡＴＶ受信用ケーブルの伝送可能な周波数帯域に上向き変換させるためのアナログフロントエンドモジュール７２０および、前記ミディアムアクセスコントロールモジュール、シングル−バンドＯＦＤＭモジュール、アナログフロントエンドモジュールの動作を制御するコントロールマネージャ７１０を含む。
【００３５】
アナログフロントエンドモジュール７２０は、伝えられた単一バンド直交周波数分割多重方式の超広帯域信号を家庭内ＣＡＴＶ受信用ケーブルの伝送可能な周波数帯域、例えば０．９ＧＨｚないし１．６ＧＨｚの間の周波数帯域に上向き変換して伝送するようにする。
【００３６】
図８は、本発明の他の実施形態に係る有線超広帯域信号伝送システムの構成図であって、各々の家庭８１０、８２０、８３０にはスプリッタ８１２、８１４、８２２、８２４、８３２、８３４と本発明の実施に係る有線超広帯域信号伝送装置８１６、８２６、８３６を備えており、各々の家庭８１０、８２０、８３０ごとにタップ８０３ａ、８０３ｂ、８０３ｃを介して、同軸ケーブル８０１からＣＡＴＶ信号を受信するようになる。
【００３７】
図８に示す有線超広帯域信号伝送システムと、図４に示す有線超広帯域信号伝送システムとの差異点は、タップ８０３ａ、８０３ｂ、８０３ｃとスプリッタ８１２、８２２、８３２との間に分離モジュール８０５ａ、８０５ｂ、８０５ｃが挿入されるという点である。
【００３８】
分離モジュール８０５ａ、８０５ｂ、８０５ｃは、下向き変換されたＵＷＢ信号を反射して１つの家庭内に属するＵＷＢ信号が外部ネットワークに伝送されることを防止する。従って、このような分離モジュール８０５ａ、８０５ｂ、８０５ｃは、ＵＷＢ信号が存在する周波数帯域に対して選択的に通過するか、または、選択的に反射するフィルタ特性を有するようになる。
【００３９】
図９ａ、および、図９ｂは、図８に示す有線超広帯域信号伝送システムでの分離モジュールの周波数特性を表すグラフである。例えば、０．８ＧＨｚ以上の周波数帯域にＵＷＢ信号から変換された信号が存在する場合、分離モジュール８０５ａ、８０５ｂ、８０５ｃは、家庭から外部ネットワークに出る信号中、図９ａに示すように約０．９ＧＨｚ以上の周波数信号に対しては反射し、図９ｂに示すように約０．９ＧＨｚ以上の周波数信号に対しては透過できないようにする周波数特性を有するようになる。他の実施形態として、分離モジュール８０５ａ、８０５ｂ、８０５ｃは、家庭から外部ネットワークに出る信号をすべての周波数に対して反射するようにすることもできる。さらに、このような分離モジュール８０５ａ、８０５ｂ、８０５ｃは、反射するＵＷＢ信号の強さを大きくさせることによって、家庭内に属する各々の部屋の間に伝送信号の信号対雑音の比（ＳＮ比）を向上させることもできる。
【００４０】
以上添付した図面を参照し、本発明の実施形態を説明したが、本発明が属する技術分野で通常の知識を有する者であれば、本発明がその技術的思想や必須の特徴を変更せず、他の具体的な形態で実施できることが分かるはずである。従って以上で記述した実施形態は、すべての面で例示的なものであり、限定的ではないことを理解しなければならない。
【図面の簡単な説明】
【００４１】
【図１】ＵＷＢ信号のスペクトルを示すグラフである。
【図２】同軸ケーブルの伝送減衰特性を周波数の応答によって示すグラフである。
【図３】ＲＦスプリッタの伝送特性を示すグラフである。
【図４】本発明の一実施形態に係る有線超広帯域信号伝送システムの構成図である。
【図５ａ】ＣＡＴＶ信号、および、ＵＷＢ信号の周波数帯域を示すグラフである。
【図５ｂ】ＣＡＴＶ信号、および、ＵＷＢ信号の周波数帯域を示すグラフである。
【図５ｃ】ＣＡＴＶ信号、および、ＵＷＢ信号の周波数帯域を示すグラフである。
【図５ｄ】ＣＡＴＶ信号、および、ＵＷＢ信号の周波数帯域を示すグラフである。
【図６】本発明の一実施形態に係る有線超広帯域信号伝送装置の構成を示すブロック図である。
【図７】本発明の一実施形態に係る有線単一バンド直交周波数分割多重方式基盤の超広帯域信号送受信モジュールの構成を示すブロック図である。
【図８】本発明の他の実施形態に係る有線超広帯域信号伝送システムの構成図である。
【図９ａ】図８に示す有線超広帯域信号伝送システムでの分離モジュールの周波数特性を示すグラフである。
【図９ｂ】図８に示す有線超広帯域信号伝送システムでの分離モジュールの周波数特性を示すグラフである。
【符号の説明】
【００４２】
６００      有線超広帯域信号伝送装置
６１０      制御モジュール
６２０      有線単一バンド直交周波数分割多重方式基盤の超広帯域信号送／受信モジュール
６３０      有／無線インターフェースモジュール
６４０      信号変換モジュール
【図１】
2006325206.tif 000003
【図２】
2006325206.tif 000004
【図３】
2006325206.tif 000005
【図４】
2006325206.tif 000006
【図５ａ】
2006325206.tif 000007
【図５ｂ】
2006325206.tif 000008
【図５ｃ】
2006325206.tif 000009
【図５ｄ】
2006325206.tif 000010
【図６】
2006325206.tif 000011
【図７】
2006325206.tif 000012
【図８】
2006325206.tif 000013
【図９ａ】
2006325206.tif 000014
【図９ｂ】
2006325206.tif 000015